(57)【要約】【課題】あるサービスに係る所定のアクティビティに関する報告を、そのアクティビティが行われた際の気象情報を含めて提示する。【解決手段】管理サーバ（１）の受信部（１１）が利用者からのラウンド報告を端末装置（２）から受信した際には、取得部（１２）によりラウンドしたエリアのエリア情報を取得する。そして、参照部（１３）にて前記報告に含まれる日付情報と前記取得したエリア情報とに基づいて、外部の気象情報サーバから気象情報を参照し、挿入部（１４）にて参照した気象情報を前記報告に挿入する。さらに、処理部（１６）にて、気象情報が挿入された前記報告を、所定のサービス上の投稿として処理する。【選択図】図１
2014048696.tif 000002
【特許請求の範囲】
【請求項１】
利用者の端末装置と通信可能で、前記利用者に所定のサービスを提供する管理装置であって、
前記利用者による所定のアクティビティに関する報告を前記端末装置から受信する受信部と、
前記アクティビティが行われたエリアのエリア情報を取得する取得部と、
前記報告に含まれる日付情報と前記取得部により取得したエリア情報とに基づいて、気象情報を参照する参照部と、
前記参照部により参照した前記気象情報を前記報告に挿入する挿入部と、
前記挿入部により前記気象情報が挿入された前記報告を、前記所定のサービス上の投稿として処理する処理部と、を備える
ことを特徴とする管理装置。
【請求項２】
前記取得部は、前記報告に含まれ、前記所定のアクティビティが行われた場所を一意に識別する場所識別情報に基づいて、前記エリア情報を取得することを特徴とする請求項１に記載の管理装置。
【請求項３】
前記端末装置に、前記所定のアクティビティが行われる場所と前記エリア情報とを関連付けて提示する提示部を備え、
前記取得部は、前記端末装置にて選択された前記所定のアクティビティが行われた場所に関連付けられた前記エリア情報を、前記報告に含まれる情報として取得することを特徴とする請求項１に記載の管理装置。
【請求項４】
前記気象情報は、前記管理装置と通信可能な外部管理装置により提供され、
前記受信部は、前記外部管理装置から前記気象情報を定期的に受信し、
前記気象情報に含まれるエリアのエリア情報に関連付けて前記気象情報を蓄積する記憶部を備えることを特徴とする請求項１乃至請求項３のいずれか一に記載の管理装置。
【請求項５】
前記参照部は、前記日付情報と前記エリア情報とに基づいて、その都度前記外部管理装置に蓄積されている前記気象情報を参照することを特徴とする請求項１乃至請求項３のいずれか一に記載の管理装置。
【請求項６】
利用者の端末装置と、前記端末装置と通信可能で前記利用者に所定のサービスを提供する管理装置とを備えるサービス提供システムであって、
前記端末装置は、
前記利用者による所定のアクティビティに関する報告を前記管理装置に送信する送信部を備え、
前記管理装置は、
前記報告を前記端末装置から受信する受信部と、
前記アクティビティが行われたエリアのエリア情報を取得する取得部と、
前記報告に含まれる日付情報と前記取得部により取得したエリア情報とに基づいて、気象情報を参照する参照部と、
前記参照部により参照した前記気象情報を前記報告に挿入する挿入部と、
前記挿入部により前記気象情報が挿入された前記報告を、前記所定のサービス上の投稿として処理する処理部と、を備える
ことを特徴とするサービス提供システム。
【請求項７】
利用者の端末装置と通信可能で、前記利用者に所定のサービスを提供する管理装置の制御方法であって、
前記利用者による所定のアクティビティに関する報告を前記端末装置から受信し、
前記アクティビティが行われたエリアのエリア情報を取得し、
前記報告に含まれる日付情報と前記取得したエリア情報とに基づいて、気象情報を参照し、
前記参照した前記気象情報を前記報告に挿入し、
前記気象情報が挿入された前記報告を、前記所定のサービス上の投稿として処理する、  ことを特徴とする管理装置の制御方法。
【請求項８】
利用者の端末装置と通信可能で、前記利用者に所定のサービスを提供するコンピュータを備える管理装置の制御プログラムであって、
前記コンピュータを、
前記利用者による所定のアクティビティに関する報告を前記端末装置から受信する受信部と、
前記アクティビティが行われたエリアのエリア情報を取得する取得部と、
前記報告に含まれる日付情報と前記取得部により取得したエリア情報とに基づいて、気象情報を参照する参照部と、
前記参照部により参照した前記気象情報を前記報告に挿入する挿入部と、
前記挿入部により前記気象情報が挿入された前記報告を、前記所定のサービス上の投稿として処理する処理部として機能させる、
ことを特徴とする管理装置の制御プログラム。
【発明の詳細な説明】
【技術分野】
【０００１】
本発明は、特定のサービスに係る利用者が投稿した情報に好適な補足を行う技術に関する。
【背景技術】
【０００２】
近年、インターネット上で提供するサービスが急速に普及している。この種のサービスの一つとして、ＳＮＳ（Ｓocial Ｎetworking Ｓervice）を提供するウェブサイトが知られている。このウェブサイトでは、利用者同士のコミュニケーションを図るため、友達関係を構築できるようになっている。そして、友達同士で投稿、チャット、メールといったコミュニケーションのツールが提供として提供する手段が利用されている。特許文献１には、例えばジョギングにおける総走行距離を参加者同士で競い合うために、アバターの位置などで参加者の順位をわかり易く表示する技術が開示されている。
【先行技術文献】
【特許文献】
【０００３】
【特許文献１】特表２０１１−５１８３６０号公報
【発明の概要】
【発明が解決しようとする課題】
【０００４】
特許文献１において表示される順位などの成績は、各参加者のジョギング等の運動に基づく成績であり、ジョギング等の運動に対する各参加者のモチベーションを高めるという効果を期待し得る。
しかしながら、ジョギング等の運動に基づく成績は、その運動を行った時の気象条件に影響されることがあるのにも拘わらず、その運動を行った時の気象条件を含めて提示されるということは行われていなかった。
本発明は、この点に鑑みてなされたものであり、あるサービスに係る所定のアクティビティに関する報告を、そのアクティビティが行われた際の気象情報を含めて提示することなどを解決課題とする。
【課題を解決するための手段】
【０００５】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００６】
上述した課題を解決するため、本発明に係る管理装置は、利用者の端末装置と通信可能で、前記利用者に所定のサービスを提供する管理装置であって、前記利用者による所定のアクティビティに関する報告を前記端末装置（２）から受信する受信部（１１）と、前記アクティビティが行われたエリアのエリア情報を取得する取得部（１２）と、前記報告に含まれる日付情報と前記取得部（１２）により取得したエリア情報とに基づいて、気象情報を参照する参照部（１３）と、前記参照部（１３）により参照した前記気象情報を前記報告に挿入する挿入部（１４）と、前記挿入部（１４）により前記気象情報が挿入された前記報告を、前記所定のサービス上の投稿として処理する処理部（１６）とを備えることを特徴とする。
この発明において、エリア情報は、所定のアクティビティが行われた場所を特定できる情報であればよく、例えば所定のアクティビティが行われた施設の位置情報や当該施設に割り当てられた識別情報、当該施設の存在する地域を示す情報とすることを含む概念である。また、気象情報は、天気、気温（最高気温、最低気温を含む）、風（風向き、風速）のいずれをも含む概念であり、少なくともこれらのいずれか一つを気象情報とすることも含む。
【０００７】
上述した管理装置において、前記取得部（１２）は、前記報告に含まれ、前記所定のアクティビティが行われた場所を一意に識別する場所識別情報に基づいて、前記エリア情報を取得するようにしてもよい。
【０００８】
上述した管理装置において、前記端末装置（１２）に、前記所定のアクティビティが行われる場所と前記エリア情報とを関連付けて提示する提示部（１７）を備え、前記取得部（１２）は、前記端末装置（２）にて選択された前記所定のアクティビティが行われた場所に関連付けられた前記エリア情報を、前記報告に含まれる情報として取得するようにしてもよい。
【０００９】
上述した管理装置において、前記気象情報は、前記管理装置（１）と通信可能な外部管理装置（３）により提供され、前記受信部（１１）は、前記外部管理装置（３）から前記気象情報を定期的に受信し、前記気象情報に含まれるエリアのエリア情報に関連付けて前記気象情報を蓄積する記憶部（１５）を備えるようにしてもよい。
【００１０】
上述した管理装置において、前記参照部（１３）は、前記日付情報と前記エリア情報とに基づいて、その都度前記外部管理装置（３）に蓄積されている前記気象情報を参照するようにしてもよい。
【００１１】
上述した課題を解決するため、本発明に係るサービス提供システムは、利用者の端末装置と、前記端末装置と通信可能で前記利用者に所定のサービスを提供する管理装置とを備えるサービス提供システムであって、前記端末装置（２）は、前記利用者による所定のアクティビティに関する報告を前記管理装置に送信する送信部（２２）を備え、前記管理装置（１）は、前記報告を前記端末装置（２）から受信する受信部（１１）と、前記アクティビティが行われたエリアのエリア情報を取得する取得部（１２）と、前記報告に含まれる日付情報と前記取得部（１２）により取得したエリア情報とに基づいて、気象情報を参照する参照部（１３）と、前記参照部（１３）により参照した前記気象情報を前記報告に挿入する挿入部（１４）と、前記挿入部（１４）により前記気象情報が挿入された前記報告を、前記所定のサービス上の投稿として処理する処理部（１６）とを備えることを特徴とする。
【００１２】
上述した課題を解決するため、本発明に係る管理装置の制御方法は、利用者の端末装置と通信可能で、前記利用者に所定のサービスを提供する管理装置の制御方法であって、前記利用者による所定のアクティビティに関する報告を前記端末装置（２）から受信し、前記アクティビティが行われたエリアのエリア情報を取得し、前記報告に含まれる日付情報と前記取得したエリア情報とに基づいて、気象情報を参照し、前記参照した前記気象情報を前記報告に挿入し、前記気象情報が挿入された前記報告を、前記所定のサービス上の投稿として処理することを特徴とする。
【００１３】
上述した課題を解決するため、本発明に係る管理装置のプログラムは、利用者の端末装置と通信可能で、前記利用者に所定のサービスを提供するコンピュータを備える管理装置の制御プログラムであって、前記コンピュータ（３０）を、前記利用者による所定のアクティビティに関する報告を前記端末装置（２）から受信する受信部（１１）と、前記アクティビティが行われたエリアのエリア情報を取得する取得部（１２）と、前記報告に含まれる日付情報と前記取得部により取得したエリア情報とに基づいて、気象情報を参照する参照部（１３）と、前記参照部（１３）により参照した前記気象情報を前記報告に挿入する挿入部（１４）と、前記挿入部（１４）により前記気象情報が挿入された前記報告を、前記所定のサービス上の投稿として処理する処理部（１６）として機能させることを特徴とする。
【図面の簡単な説明】
【００１４】
【図１】本発明の第１実施形態に係るサービス提供システムのブロック図である。
【図２】管理サーバの構成を示すブロック図である。
【図３】端末装置の構成を示すブロック図である。
【図４】端末装置の表示画面の一例を示す説明図である。
【図５】ゴルフ利用者情報テーブルのデータ構造の一例を示す説明図である。
【図６】端末装置の表示画面の一例を示す説明図である。
【図７】端末装置の表示画面の一例を示す説明図である。
【図８】端末装置の表示画面の一例を示す説明図である。
【図９】端末装置の表示画面の一例を示す説明図である。
【図１０】端末装置の表示画面の一例を示す説明図である。
【図１１】都道府県マスタテーブルのデータ構造の一例を示す説明図である。
【図１２】エリアマスタテーブルのデータ構造の一例を示す説明図である。
【図１３】ゴルフ場マスタテーブルのデータ構造の一例を示す説明図である。
【図１４】気象情報挿入処理及びラウンド報告投稿処理に関するサービス提供システムの動作を示すフローチャートである。
【図１５】気象情報データベースのデータ構造の一例を示す説明図である。
【図１６】端末装置の表示画面の一例を示す説明図である。
【図１７】本発明の第２実施形態における端末装置の表示画面の一例を示す説明図である。
【図１８】変形例における端末装置の表示画面の一例を示す説明図である。
【図１９】変形例におけるゴルフ場マスタテーブルのデータ構造の一例を示す説明図である。
【図２０】変形例における気象情報挿入処理及びラウンド報告投稿処理に関するサービス提供システムの動作を示すフローチャートである。
【発明を実施するための形態】
【００１５】
以下、実施形態として、本発明に係る管理サーバを用いたサービス提供システムについて、図面を参照しつつ説明する。
＜第１実施形態＞
＜１．サービス提供システムの構成＞
図１は、本発明の実施形態に係るサービス提供システム１００のブロック図である。このサービス提供システム１００は、インターネットなどの通信網ＮＥＴを介して、ゴルフ情報アプリケーションを提供する管理装置としての管理サーバ１、利用者の端末装置２、気象情報を提供する外部管理装置としての気象情報提供サーバ３を備える。
気象情報提供サーバ３は、例えば、気象庁のサーバや、民間の気象情報会社のサーバを用いることができる。気象情報には、天気、気温、湿度、降水量、風向き、風速等が含まれる。また、気象情報は予報でなく、過去の情報である。
【００１６】
利用者の端末装置２は、通信網ＮＥＴを介した通信が可能であり、例えば、パーソナルコンピュータ、携帯電話機、スマートフォン、タブレット端末などが該当する。
管理サーバ１は、特定のサービスを提供する。本実施形態の管理サーバ１は、ゴルフ情報アプリケーションをゴルフ利用者に提供する。本実施形態では、ゴルフ情報アプリケーションの提供を一例と説明するが、管理サーバ１は、サッカーやジョギング等の屋外で行われるスポーツに関するアプリケーションを提供するものであってもよい。
【００１７】
管理サーバ１によって提供されるゴルフ情報アプリケーションにおいては、利用者による近況報告、メッセージ機能を利用した利用者間のコミュニケーション、あるいは、ゴルフに一緒に行く同伴者を誘う等の様々なアクションが可能となっている。前記近況報告には、「ゴルフに行きたい」、「近況」、「練習した」、及び、「ゴルフ用品の近況」の他、「ラウンドした」というアクティビティに関する報告が含まれる。
【００１８】
図１を参照して、管理サーバ１の機能を説明する。管理サーバ１は、ゴルフ利用者情報テーブルＴＢＬ１１、気象情報テーブルＴＢＬ１３、及び、設定値管理マスタテーブルＴＢＬ１５、を記憶した記憶部１５を備える。また、記憶部１５には、管理サーバ１を制御するプログラムが記憶されている。ゴルフ利用者情報テーブルＴＢＬ１１には、ゴルフ情報アプリケーションの利用者を一意に識別する識別情報ＵＩＤなどが格納されている。気象情報テーブルＴＢＬ１３には、気象情報提供サーバ３から定期的に受信した気象情報が記録される。気象情報テーブルＴＢＬ１３に記録される気象情報の詳細については後述する。設定値管理マスタテーブルＴＢＬ１５（ＴＢＬ１５ａ，ＴＢＬ１５ｂ，ＴＢＬ１５ｃ）には、各種設定値が記録されている。
【００１９】
管理サーバ１は、利用者による所定のアクティビティとしてのラウンドに関する報告を端末装置２から受信する受信部１１と、ラウンドが行われたエリアのエリア情報を取得する取得部１２と、前記報告に含まれる日付情報と前記取得部１２により取得したエリア情報とに基づいて、気象情報を参照する参照部１３と、前記参照部１３により参照した前記気象情報を前記報告に挿入する挿入部１４と、前記挿入部１４により前記気象情報が挿入された前記報告を、ゴルフ情報アプリケーション上の投稿として処理する処理部１６とを備える。また、端末装置２は、ラウンドが行われた場所と前記エリア情報とを関連付けて提示する提示部１７を備えている。
【００２０】
図１を参照して、端末装置２の機能を説明する。端末装置２は、入力部２１と、送信部２２と、表示部２３とを備える。
【００２１】
入力部２１は、ゴルフ利用者のプロフィール情報の入力、ゴルフに行ってきた時のスコア等のラウンド報告、ゴルフ情報アプリケーションにおけるメッセージやコメントの入力等を行うことができる。
送信部２２は、前記入力部２１において入力されたゴルフ利用者のプロフィール情報、ゴルフに行ってきた時のスコア等のラウンド報告等、ゴルフ情報アプリケーションにおける各種のアクションに関する情報を管理サーバ１に送信することができる。
表示部２３は、管理サーバ１の表示制御部１７から送信されるゴルフ友達及びゴルフ友達のゴルフ友達の関連性を示す関係図等を表示するために必要な情報等を表示することができる。
【００２２】
図２に管理サーバ１の構成を示す。この図に示すように、管理サーバ１は、装置全体を制御するＣＰＵ（Central Processing Unit）３０、ＣＰＵ３０の作業領域として機能するＲＡＭ（Random Access Memory）３１、ブートプログラムなどを記憶したＲＯＭ（Read Only Memory）３２、各種のプログラムやデータを記憶するハードディスクドライブ（ＨＤＤ）３３、キーボードやマウスなどを含む入力部３４、画像を表示するディスプレイ３５、通信網ＮＥＴを介して外部の装置と通信を行う通信インターフェース３６、及びコンパクトディスクなどの情報記録媒体を読み取る読取装置３７を備える。ハードディスクドライブ（ＨＤＤ）３３は、上述した記憶部１５に相当し、ゴルフ利用者情報テーブルＴＢＬ１１、気象情報テーブルＴＢＬ１３、及び、設定値管理マスタテーブルＴＢＬ１５を格納する。
【００２３】
図３に端末装置２の構成を示す。端末装置２は、装置全体を制御するＣＰＵ４０、ＣＰＵ４０の作業領域として機能するＲＡＭ４１、ブートプログラムなどを記憶したＲＯＭ４２、各種のプログラムやデータを記憶する記憶装置４３、テンキーなどを含む入力部４４、画像を表示するディスプレイ４５、及び通信網ＮＥＴを介して外部の装置と通信を行う通信インターフェース４６を備える。なお、入力部がタッチパネルである場合は、ディスプレイ４５がタッチパネルである入力部４４を兼ねることとなる。入力部４４は単一のデバイスで構成しても、複数のデバイスを組み合わせて構成しても良い。
【００２４】
＜２．サービス提供システムの動作＞
本実施形態のサービス提供システム１００は、利用者に対してゴルフ情報アプリケーションによるサービスを提供し、特に、利用者によりラウンド報告が行われた場合には、そのラウンド報告に気象情報を挿入してゴルフ情報アプリケーション上の投稿とする処理を行う。
【００２５】
＜２−１：ゴルフ情報アプリケーションの基本的動作＞
本実施形態のサービス提供システム１００において、管理サーバ１は、利用者の端末装置２にゴルフ情報アプリケーションのマイページを提供する。マイページには、各種のゴルフに関する情報が集約されて表示される。図４にマイページＰ１の一例を示す。同図に示すようにマイページＰ１は、ウォールアイコンＡ１、利用者本人のアイコンＡ２、近況報告アイコンＡ３、友達表示領域Ａ４を備えている。
ウォールアイコンＡ１が押下されると、ゴルフに関するニュース、ラウンド報告を含む利用者による投稿が表示されるようになっている。利用者本人のアイコンＡ２には、利用者本人のプロフィール画像が用いられる。近況報告アイコンＡ３が押下されると、近況報告を行う際の近況報告画面が表示され、近況報告の種類としてラウンド報告が選択されると、後述するラウンド報告画面が表示されるようになっている。
【００２６】
友達表示領域Ａ４には、利用者本人の友達を示す画像が表示される。友達表示領域Ａ４には、利用者本人の友達の友達を表示するようにしてもよい。友達表示領域Ａ４に友達及び友達の友達を表示する際には、親密度を算出し、親密度の高い順に手前側から表示する。なお、親密度の算出は、ゴルフ情報アプリケーション内における交流の頻度や、共通の友達の数等によって算出するようにすればよい。
【００２７】
ゴルフ情報アプリケーションの利用者には、各利用者を一意に識別する識別情報が付与されており、識別情報は、管理サーバ１の記憶部１５に格納されるゴルフ利用者情報テーブルＴＢＬ１１に記録される。
図５にゴルフ利用者情報テーブルＴＢＬ１１のデータ構造を示す。ゴルフ利用者情報テーブルＴＢＬ１１には登録情報として複数のレコードが記録されている。１つのレコードは、利用者を一意に識別する識別情報ＵＩＤ、登録日、及び、プロフィール情報を含む。プロフィール情報は、性別、年齢、メールアドレスを含む。なお、プロフィール情報にはこれ以外の情報を含んでもよいし、プロフィール情報はゴルフ利用者情報テーブルＴＢＬ１１には記憶しない構成としてもよい。
【００２８】
なお、ゴルフ利用者情報テーブルＴＢＬ１１のレコードには、その他の情報を記録してもよい。例えば自己申告によるベストスコア等が含まれていてもよい。また、ゴルフ利用者情報テーブルＴＢＬ１１に記録すべき情報として、ゴルフ利用者の識別情報ＵＩＤは必須であるが、その他の情報は省略してもよい。さらに、ゴルフ利用者情報テーブルＴＢＬ１１をキーとなる情報（例えば、識別情報ＵＩＤ）で紐づけた複数のテーブルで構成し、リレーショナルデータベースとしてもよい。
【００２９】
また、本実施形態においては、図示を省略するが、ゴルフ情報アプリケーションの利用者間における友達関係を示す情報を用いている。友達関係を示す情報は、友達関係テーブルとして管理サーバ１の記憶部１５に格納するようにしてもよいし、ゴルフ情報アプリケーション以外のサービスを提供する外部のサーバにて管理されている情報を参照して取得するようにしてもよい。
【００３０】
さらに、本実施形態においては、利用者の端末装置２から管理サーバ１に送信される情報の発信元と、ゴルフ情報アプリケーションの利用者の識別情報ＵＩＤとが紐付けられており、利用者の端末装置２から管理サーバ１に送信された情報が、ゴルフ情報アプリケーションにおけるどの利用者により送信された情報なのかが分かるようになっている。
【００３１】
＜２−２：ラウンド報告＞
本実施形態における気象情報の挿入処理は、端末装置２から管理サーバ１に対してラウンド報告が送信された際に行われる。そこで、まず、ラウンド報告について説明する。
図４に示すマイページＰ１において、近況報告アイコンＡ３を押下すると、図６に示すような近況報告画面Ｐ２がポップアップ表示される。近況報告画面Ｐ２には、最上部の位置にプルダウンメニューＣ１が表示されており、プルダウンメニューＣ１の矢印ボタンを押下すると、近況報告の項目である「ラウンドした」、「ゴルフに行きたいな」、「近況」、「練習した」、及び、「ゴルフ用品の近況」が一覧表示されるので、これらの項目の中のいずれにカーソルを合わせることにより、近況報告の項目の選択を行うことができる。図６に示す画面では、「ラウンドした」が選択された例を示している。「ラウンドした」という項目は、実際にゴルフのラウンドを行ったことの報告を行うラウンド報告の際に選択される。
なお、「ゴルフに行きたいな」はゴルフに行きたいことをゴルフ情報アプリケーション上の友達にアピールする場合に選択され、「近況」は自由に現在の状況等を投稿する際に選択され、「練習した」はゴルフ練習の報告の際に選択される。また、「ゴルフ用品の近況」は、例えば新しいゴルフクラブ等の購入の報告等の際に選択される。
【００３２】
プルダウンメニューＢ１で「ラウンドした」を選択すると、図６に示すようにラウンド報告の画面が表示される。ラウンド報告の画面には、スコア欄Ｂ２、ＦＲＯＮＴ９スコア入力欄Ｂ３、ＢＡＣＫ９スコア入力欄Ｂ４、ラウンド年月日入力欄Ｂ５、ゴルフ場名入力欄Ｂ６、同伴者名入力欄Ｂ７、感触入力欄Ｂ８、コメント入力欄Ｂ９、投稿ボタンＢ１０が表示される。
ＦＲＯＮＴ９スコア入力欄Ｂ３にはアウトの９ホールのスコアを記入し、ＢＡＣＫ９スコア入力欄Ｂ４にはインの９ホールのスコアを入力する。また、スコア入力欄Ｂ２にはそのラウンドのトータルのスコア、すなわちＦＲＯＮＴ９スコア入力欄Ｂ３に入力された値と、ＢＡＣＫ９スコア入力欄Ｂ４に入力された値との合計値が表示される。
【００３３】
ラウンド年月日入力欄Ｂ５には、「年」、「月」、「日」に分けてプルダウンメニュー欄が表示されており、プルダウンメニューから「年」、「月」、「日」を選択することにより、ラウンド日の入力が可能となっている。
【００３４】
ゴルフ場名入力欄Ｂ６が押下されると、図７に示す地域検索メニューページＰ３が表示される。地域検索メニューページＰ３は、戻るボタンＣ１、地域名を表示する地域名表示セルＣ２〜Ｃ７を備えている。戻るボタンＣ１が押下されると、図６に示すラウンド報告画面Ｐ２に戻るようになっている。地域名表示セルＣ２〜Ｃ７のいずれかが押下されると、図８に示す都道府県選択メニューページＰ４が表示される。
【００３５】
図８に都道府県選択メニューページＰ４の一例を示す。都道府県選択メニューページＰ４は、戻るボタンＤ１、都道府県名表示セルＤ２〜Ｄ８を備えている。なお、都道府県名表示セルの表示数は、該当する都道府県の数に応じて変動する。戻るボタンＤ１が押下されると、図７に示す地域検索メニューページＰ３に戻るようになっている。都道府県名表示セルＤ２〜Ｄ８のいずれかが押下されると、図９に示すエリア選択メニューページＰ５が表示される。
【００３６】
図９にエリア選択メニューページＰ５の一例を示す。図９の例は、図８の都道府県選択メニューページＰ４において、「東京都」の都道府県名表示セルＤ２が押下された場合に表示されるエリア選択メニューページＰ５を示している。エリア選択メニューページＰ５は、戻るボタンＥ１、エリア表示セルＥ２〜Ｅ１０を備えている。なお、エリア表示セルの表示数は、該当するエリアの数に応じて変動する。なお、エリアとは、都道府県を更に細かく区分した単位であり、本実施形態では、気象庁の「気象庁予報警報規定」別表第４の区分に準拠している。
戻るボタンＥ１が押下されると、図８に示す都道府県選択メニューページＰ４に戻るようになっている。エリア表示セルＥ２〜Ｅ１０のいずれかが押下されると、図１０に示すゴルフコース選択メニューページＰ６が表示される。
【００３７】
図１０にゴルフコース選択メニューページＰ６の一例を示す。図１０の例は、図９のエリア選択メニューページＰ５において、「２３区東部」のエリア表示セルＥ２が押下された場合に表示されるゴルフコース選択メニューページＰ６を示している。ゴルフコース選択メニューページＰ６は、戻るボタンＧ１、ゴルフコース表示セルＧ２〜Ｇ３を備えている。なお、ゴルフコース表示セルの表示数は、該当するゴルフコースの数に応じて変動する。
戻るボタンＧ１が押下されると、図９に示すエリア選択メニューページＰ５に戻るようになっている。ゴルフコース表示セルＧ２〜Ｇ３のいずれかが押下されると、図６に示すラウンド報告の画面のゴルフ場名入力欄Ｂ６に、押下したゴルフコース表示セルに対応するゴルフ場名が表示される。
【００３８】
ここで、図１１乃至図１３を用いて、ゴルフコース選択の際の特定方法について説明する。図１１は都道府県マスタテーブルＴＢＬ１５ａを示す一例である。フィールドＦ１は地域ＩＤのフィールド、フィールドＦ２は地域名のフィールド、フィールドＦ３は都道府県ＩＤのフィールド、フィールドＦ４は都道府県名のフィールドである。
図１２はエリアマスタテーブルＴＢＬ１５ｂを示す一例である。フィールドＦ５は都道府県ＩＤのフィールド、フィールドＦ６はエリアＩＤのフィールド、フィールドＦ７はエリア名のフィールド、フィールドＦ８は各エリアに含まれる区域のフィールドである。
図１３はゴルフ場マスタテーブルＴＢＬ１５ｃを示す一例である。フィールドＦ９はエリアＩＤのフィールド、フィールドＦ１０はゴルフ場ＩＤのフィールド、フィールドＦ１１はゴルフ場名のフィールドである。また、フィールドＦ１２は電話番号のフィールド、フィールドＦ１３は郵便番号のフィールド、Ｆ１４は住所のフィールドである。
【００３９】
図７に示す地域選択メニューＰ３における地域名表示セルＣ２〜Ｃ７には、それぞれ地域ＩＤが関連付けられており、地域名表示セルＣ２〜Ｃ７のいずれかが選択されると、端末装置２のＣＰＵ４０は、当該選択された地域名表示セルＣ２〜Ｃ７に対応する地域ＩＤを、管理サーバ１に送信する。
【００４０】
地域ＩＤを受信した管理サーバ１のＣＰＵ３０は、都道府県マスタテーブルＴＢＬ１５ａを参照して、受信した地域ＩＤに基づいて、当該地域ＩＤと関連付けて記録されている都道府県のレコードを特定し、都道府県リストを含む表示用情報を作成し、通信インターフェース３６を介して端末装置２に送信する。都道府県リストを含む表示用情報を受信した端末装置２のＣＰＵ４０は、当該受信した都道府県リストを含む表示用情報に基づいて、図８に示すように都道府県選択メニューページＰ４をディスプレイ４５に表示する。
【００４１】
都道府県選択メニューページＰ４における都道府県名表示セルＤ２〜Ｄ８には、それぞれ都道府県ＩＤが関連付けられており、都道府県名表示セルＤ２〜Ｄ８のいずれか選択されると、端末装置２のＣＰＵ４０は、当該選択された都道府県名表示セルＤ２〜Ｄ８に対応する都道府県ＩＤを管理サーバ１に送信する。
【００４２】
都道府県ＩＤを受信した管理サーバ１のＣＰＵ３０は、エリアマスタテーブルＴＢＬ１５ｂを参照し、受信した都道府県ＩＤに基づいて、当該都道府県ＩＤと関連付けて記録されているエリアのレコードを特定し、エリアリストを含む表示用情報を作成し、通信インターフェース３６を介して端末装置２に送信する。エリアリストを含む表示用情報を受信した端末装置２のＣＰＵ４０は、当該受信したエリアリストを含む表示用情報に基づいて、図９に示すようにエリア選択メニューページＰ５をディスプレイ４５に表示する。
【００４３】
エリア選択メニューページＰ５におけるエリア表示セルＥ２〜Ｅ１０には、それぞれエリアＩＤが関連付けられており、エリア表示セルＥ２〜Ｅ１０のいずれか選択されると、端末装置２のＣＰＵ４０は、当該選択されたエリア表示セルＥ２〜Ｅ１０に対応するエリアＩＤを管理サーバ１に送信する。
【００４４】
エリアＩＤを受信した管理サーバ１のＣＰＵ３０は、ゴルフ場マスタテーブルＴＢＬ１５ｃを参照し、受信したエリアＩＤに基づいて、当該エリアＩＤと関連付けて記録されているゴルフ場のレコードを特定し、ゴルフ場リストを含む表示用情報を作成し、通信インターフェース３６を介して端末装置２に送信する。ゴルフ場リストを含む表示用情報を受信した端末装置２のＣＰＵ４０は、当該受信したゴルフ場リストを含む表示用情報に基づいて、図１０に示すゴルフ場選択メニューページＰ６をディスプレイ４５に表示する。
【００４５】
ゴルフコース選択メニューページＰ６におけるゴルフコース表示セルＧ２〜Ｇ３には、それぞれゴルフ場ＩＤが関連付けられており、ゴルフコース表示セルＧ２〜Ｇ３のいずれかが選択されると、端末装置２のＣＰＵ４０は、当該選択されたゴルフコース表示セルＧ２〜Ｇ３に対応するゴルフ場ＩＤを管理サーバ１に送信する。
【００４６】
ゴルフ場ＩＤを受信した管理サーバ１のＣＰＵ３０は、ゴルフ場マスタテーブルＴＢＬ１５ｃを参照し、受信したゴルフ場ＩＤに基づいて、当該ゴルフ場ＩＤと関連付けて記録されているゴルフ場を特定し、当該ゴルフ場名を含む表示用情報を作成し、通信インターフェース３６を介して端末装置２に送信する。ゴルフ場名を含む表示用情報を受信した端末装置２のＣＰＵ４０は、当該受信したゴルフ場名を含む表示用情報に基づいて、図６に示すラウンド報告の画面のゴルフ場名入力欄Ｂ６に、押下したゴルフコース表示セルに対応するゴルフ場名を表示させる。なお、管理サーバ１のＣＰＵ３０は、ゴルフ場名を含む表示用情報と共に、ゴルフ場名に関連付けられたゴルフ場ＩＤを端末装置２に送信し、端末装置２のＣＰＵ４０は、ゴルフ場名と共にゴルフ場ＩＤを一時的に記憶させる。
【００４７】
なお、上述した各処理において、管理サーバ１から端末装置２を送信先として送信する表示用情報は、いわゆる差分情報であってもよい。
【００４８】
説明を図６に戻す。同伴者名入力欄Ｂ７には、一緒にラウンドしたゴルフ友達等の名前を、例えばテキストで入力する。但し、ゴルフ友達等をリスト表示させ、リスト表示された中から同伴者を選択するようにしてもよい。
感触入力欄Ｂ８は、「いい感じ」に対応する入力欄、「まあまあ」に対応する入力欄、「いまいち」に対応する入力欄、「全然ダメ」に対応する入力欄から成る。ラウンド報告を投稿すると、ゴルフ情報アプリケーションのマイページやタイムラインに表示されるが、その際に、感触入力欄Ｂ８で入力した感触に対応させたアイコンを表示するようにしてもよい。
コメント入力欄Ｂ９には、ゴルフ利用者が自由にコメントを入力することができる。ここで入力したコメントは、ラウンド報告がマイページやタイムラインに表示される際にも表示され、このコメントに対してゴルフ友達がいいねを押下したり、コメントすることもできる。
投稿ボタンＢ１０が押下されると、利用者の識別情報ＵＩＤと、日付情報及びゴルフ場名に関連付けられたゴルフ場ＩＤを含む入力情報と共に、ラウンド報告の投稿要求が端末装置２から管理サーバ１に通知され、この情報と要求とを受信した管理サーバ１は、以下のような気象情報挿入処理とラウンド報告の投稿処理を行う。
【００４９】
＜２−３：気象情報挿入処理及びラウンド報告の投稿処理＞
図１４に示すフローチャートを参照して、本実施形態における気象情報挿入処理及びラウンド報告の投稿処理について説明する。
図１４に示すように、利用者の識別情報ＵＩＤと、日付情報及びゴルフ場名に関連付けられたゴルフ場ＩＤを含むラウンド報告の入力情報と共に、ラウンド報告の投稿要求を端末装置２から受信した管理サーバ１のＣＰＵ３０は、ラウンド報告受信処理を行う（Ｓ１５０）。
【００５０】
具体的には、利用者の識別情報ＵＩＤに基づいてゴルフ利用者情報テーブルＴＢＬ１１から利用者の名前を取得する。また、受信した情報の中から、日付情報、ゴルフ場名、トータルのスコア、前半のスコア、後半のスコアを取得する。
【００５１】
次に、管理サーバ１のＣＰＵ３０は、エリアＩＤを特定する処理を行う（Ｓ１５１）。具体的には、ゴルフ場名に関連付けられたゴルフ場ＩＤに基づいて、図１３に示すゴルフ場マスタテーブルＴＢＬ１５ｃを参照し、当該ゴルフ場のエリアＩＤを特定する。
【００５２】
エリアＩＤを取得した管理サーバ１のＣＰＵ３０は、当該エリアＩＤと日付情報に基づいて、図１５に示す気象情報データベースＴＢＬ１３を検索し、該当日の該当エリアの気象情報を検索する（Ｓ１５２）。
図１５に示す気象情報データベースＴＢＬ１３において、フィールドＦ２０はエリアＩＤのフィールド、フィールドＦ２１は２０１２年７月１９日の天気情報のフィールド、フィールドＦ２２は２０１２年７月１９日の気温情報のフィールド、フィールドＦ２３は２０１２年７月２０日の天気情報のフィールド、フィールドＦ２４は２０１２年７月２０日の気温情報のフィールド、フィールドＦ２５は２０１２年７月２１日の天気情報のフィールド、フィールドＦ２６は２０１２年７月２１日の気温情報のフィールド、フィールドＦ２７は２０１２年７月２２日の天気情報のフィールド、フィールドＦ２８は２０１２年７月２２日の気温情報のフィールドである。なお、図示を省略するが、気象情報データベースＴＢＬ１３には、その他の日付の天気情報と気温情報も記録されている。
管理サーバ１のＣＰＵ３０は、気象情報提供サーバ３に定期的にアクセスし、気象情報を受信して気象情報データベースＴＢＬ１３に記録するようになっている。
管理サーバ１のＣＰＵ３０は、以上のような気象情報データベースＴＢＬ１３から、該当日の該当エリアの天気情報と気温情報とを取得する。
【００５３】
次に、管理サーバ１のＣＰＵ３０は、以上のようにして取得した利用者の名前、日付情報、ゴルフ場名、トータルのスコア、前半のスコア、後半のスコア、及び、天気情報と気温情報に基づいて、メッセージの作成処理を行う（Ｓ１５３）。具体的には、以下のような投稿用文例に取得した各情報を当てはめることによりメッセージの作成処理を行う。管理サーバ１の記憶部１５には、以下のような投稿用文例が記憶されている。
【００５４】
”[name]さんが[date][ゴルフ場名]でラウンドしました。
天候は[天気]、気温は[気温]℃でした。
スコアは[total]、前半は[Front]、後半は[back]でした。
内容に課題が残るプレー内容でした。”
【００５５】
投稿用文例は、例えば、このような４つの文章から構成されている。最後の１文である「内容に課題が残るプレー内容でした。」の部分は、図６に示す感触入力欄Ｂ８の入力内容によって複数種類用意されおり、管理サーバ１のＣＰＵ３０は、受信した感触入力欄Ｂ８の入力内容に基づいて、該当する投稿用文例を検索する。
【００５６】
本実施形態の例では、利用者本人の名前が「山田洋子」、日付が「２０１２年７月２０日」、ゴルフ場が「コナミカントリークラブ房総コース」、天気が「小雨」、気温が「１８℃」、スコアが「１００」、前半のスコアが「５２」、後半のスコアが「４８」、感触が「いまいち」だとすると、次のようなメッセージになる。
【００５７】
”[山田洋子]さんが[２０１２年７月２０日][コナミカントリークラブ房総コース]でラウンドしました。
天候は[小雨]、気温は[１８]℃でした。
スコアは[１００]、前半は[５２]、後半は[４８]でした。
内容に課題が残るプレー内容でした。”
【００５８】
そして、管理サーバ１のＣＰＵ３０は、作成したメッセージをラウンド報告として投稿する処理を行う（Ｓ１５４）。具体的には、管理サーバ１のＣＰＵ３０は、利用者本人の友達の識別情報ＵＩＤを特定し、利用者本人のマイページに作成したメッセージを掲載すると共に、ウォールに当該メッセージを投稿して、利用者本人の友達が閲覧できるようにする。図１６にゴルフ情報アプリケーションのウォールに、前記メッセージを投稿した例を示す。図１６に示すように、ウォールＰ２のメッセージ表示欄Ａ６に、利用者本人のアイコンと共に、前記作成したメッセージが表示される。
【００５９】
以上のように本実施形態によれば、利用者本人のラウンド報告に、自動的に気象情報が挿入されるので、天気及び気温とスコアの関係を分析することができるようになる。また、利用者本人以外の利用者にとっても、単にスコアを知ることができるだけでなく、その時の天気及び気温を知ることができるので、スコアを適切に評価することができる。
【００６０】
＜第２実施形態＞
第１実施形態においては、管理サーバ１が気象情報提供サーバ３から定期的に気象情報を受信して１日ごとの天気情報と気温情報を気象情報テーブルＴＢＬ１３に蓄積する例について説明した。
しかし、第２実施形態においては、３時間ごとの天気情報と気温情報を気象情報テーブルＴＢＬ１３に蓄積する。本実施形態のように３時間ごとの天気情報と気温情報を蓄積する場合には、例えば、図１７に示すように、３時間ごとの気象情報の表Ａ７を、ウォールのメッセージ表示欄Ａ６に表示すればよい。
以上のように本実施形態によれば、利用者本人のラウンド報告に、自動的に３時間ごとの気象情報が挿入されるので、天気及び気温とスコアの関係をより細かく分析することができるようになる。また、利用者本人以外の利用者にとっても、単にスコアを知ることができるだけでなく、その時の天気及び気温を知ることができるので、スコアをより適切に評価することができる。
【００６１】
＜変形例＞
本発明は、上述した各実施形態に限定されるものではなく、以下に述べる各種の変形が可能である。また、各変形例及び各実施形態は、適宜、組み合わせてもよいことは勿論である。
【００６２】
上述した実施形態では、地域、都道府県、エリアの順に絞っていってゴルフ場を特定する例について説明したが、本発明はこのような例に限定されるものでなく、例えば、５０音順でゴルフ場を検索するようにしてもよい。
この場合には、図１９に示すように、コースマスタテーブルＴＢＬ１５ｃ’に検索用の５０音のフィールドＦ３０を設け、ゴルフ場名の最初の文字が５０音のどの行に属するかを予め記録しておく。
そして、図６に示すラウンド報告の画面において、ゴルフ場名入力欄Ｂ６が押下された際には、図１８に示すように、５０音順選択メニューページＰ７を表示させる。
【００６３】
図１８に５０音順選択メニューページＰ７は、戻るボタンＨ１、５０音順表示セルＨ２〜Ｈ１１を備えている。戻るボタンＨ１が押下されると、図６に示すラウンド報告の画面に戻るようになっている。５０音順表示セルＨ２〜Ｈ１１のいずれかが押下されると、管理サーバ１のＣＰＵ３０は、押下された５０音順表示セルＨ２〜Ｈ１１に対応する５０音に基づいて、図１９に示すコースマスタテーブルＴＢＬ１５ｃ’を検索して、ゴルフ場の候補リストを端末装置２に提示すればよい。
【００６４】
あるいは、コースマスタテーブルには、ゴルフ場名の読み仮名を検索用の文字列として記録しておき、図６に示すラウンド報告の画面のゴルフ場名入力欄Ｂ６には、利用者にゴルフ場名を入力させるようにしてもよい。そして、入力されたゴルフ場名とコースマスタテーブルの検索用の文字列とを比較して、入力されたゴルフ場名が含まれるゴルフ場の候補リストを端末装置２に提示するようにしてもよい。
【００６５】
上述した実施形態においては、端末装置２から管理サーバ１に対して日付情報とゴルフ場ＩＤを送信し、管理サーバ１においてゴルフ場ＩＤに対応するエリアＩＤを取得する例について説明した。しかし、本発明はこのような例に限定されるものではなく、端末装置２から管理サーバ１に対してエリアＩＤを送信するようにしてもよい。
すなわち、エリアが選択された場合にゴルフ場リストを管理サーバ１から端末装置２に送信する際、少なくともゴルフ場名とエリアＩＤとを関連付けて含めた表示用情報を生成して端末装置に送信する。
そして、図２０に示すように、端末装置２から管理サーバ１に対してラウンド報告を送信する際に、エリアＩＤを送信し、管理サーバ１はこのエリアＩＤを端末装置２から受信する（Ｓ１６０）。その他の処理は、図１４に示すフローチャートと同様である。
【００６６】
また、ラウンド報告の際に入力したゴルフ場名、ゴルフＩＤ、及びエリアＩＤのデータを端末装置２または管理サーバ１において履歴情報として記録するようにしてもよい。なお、管理サーバ１に履歴情報として記録する際には、利用者の識別情報ＵＩＤと共に記録しておく。
そして、ゴルフ場名を入力する際に、端末装置２においてCookieを用いて記録した履歴情報をドロップダウンメニューで表示させ、そこからゴルフ場を選択させる。あるいは、図６に示すラウンド報告の画面には、ゴルフ場名入力欄Ｂ６の近傍に「履歴から選択」というボタンを用意しておき、「履歴から選択」が押下された場合には、端末装置２においてCookieを用いて記録した履歴情報をドロップダウンメニューで表示させ、そこからゴルフ場を選択させる。その後、ゴルフ場が選択された場合には、当該ゴルフ場に関連付けて記録されているエリアＩＤを端末装置２から管理サーバ１に送信すればよい。
【００６７】
なお、上述した実施形態では、管理サーバ１は気象情報提供サーバ３から定期的に気象情報を受信して、気象情報テーブルＴＢＬ１３に記録しておく例について説明したが、本発明はこのような例に限定されるものではなく、端末装置２からラウンド報告を受信するたびに、気象情報提供サーバ３から該当するエリアの気象情報を取得する構成としてもよい。
【００６８】
なお、上述した実施形態では、ゴルフコースマスタテーブル等を管理サーバ１に記録しておく例について説明したが、本発明はこのような例に限定されるものではなく、ゴルフコースマスタテーブル等を端末装置２に記録しておくようにしてもよい。この場合には、端末装置２から管理サーバ１にラウンド報告を行う際に、ラウンド報告の各入力情報と共に、エリアＩＤを管理サーバ１に送信すればよい。
【００６９】
上述した実施形態では、ゴルフ情報アプリケーションにおいてラウンド報告のメッセージを表示する例について説明したが、本発明はこのような例に限定されるものではなく、ゴルフ情報アプリケーション以外の他のＳＮＳ等を提供する外部のサーバとの通信を行って、当該ＳＮＳ上にラウンド報告のメッセージを投稿するようにしてもよい。
【００７０】
上述した実施形態では、気象情報として天気と気温を参照した例について説明したが、本発明はこのような例に限定されるものではない。気象情報としては、天気のみでもよいし、天気と風（風向き、風速）、あるいは、天気と気温と風を用いてもよい。
【００７１】
また、上述した各実施形態では、管理サーバ１が提供するサービスとして、ゴルフ情報の提供サービスを一例として説明したが、本発明はこれに限定されるものではなく、管理サーバ１はどのようなサービスを提供するものであってもよい。例えば、利用者同士の共通のテーマに基づいて、アプリケーション上で特定の関係を構築するすべてのものに適用できる。共通のテーマは、マラソン、バドミントン等のスポーツ、将棋、ゲームや、将棋、ゲームなどの趣味的なものであってもよいし、ビジネスに関するものあってもよい。また、特定の関係は、友達関係に限定されない。例えば、上司と部下の関係であってもよいし、問屋と小売の関係であってもよい。要は、一定の規則に基づいて構築される関係であればどのようなものであってもよい。
【００７２】
なお、本発明における受信部、取得部、参照部、挿入部、処理部、提示部等の機能を実現するためのプログラムをコンピュータ読み取り可能な記録媒体に記録して、この記録媒体に記録されたプログラムをコンピュータシステムに読み込ませ、実行することとしてもよい。なお、ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００７３】
また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００７４】
なお、本発明は上述の各実施形態及び変形例に限定されるものではなく、本発明の趣旨の範囲内での変更は本発明に含まれるものである。  
【符号の説明】
【００７５】
ＮＥＴ……通信網、１……管理サーバ、２……端末装置、３……気象情報提供サーバ、１１……受信部、１２……取得部、１３……参照部、１４……挿入部、１５……記憶部、１６……処理部、１７……提示部、２１……入力部、２２……送信部、２３……表示部、１００……サービス提供システム。
【図１】
2014048696.tif 000003
【図２】
2014048696.tif 000004
【図３】
2014048696.tif 000005
【図４】
2014048696.tif 000006
【図５】
2014048696.tif 000007
【図６】
2014048696.tif 000008
【図７】
2014048696.tif 000009
【図８】
2014048696.tif 000010
【図９】
2014048696.tif 000011
【図１０】
2014048696.tif 000012
【図１１】
2014048696.tif 000013
【図１２】
2014048696.tif 000014
【図１３】
2014048696.tif 000015
【図１４】
2014048696.tif 000016
【図１５】
2014048696.tif 000017
【図１６】
2014048696.tif 000018
【図１７】
2014048696.tif 000019
【図１８】
2014048696.tif 000020
【図１９】
2014048696.tif 000021
【図２０】
2014048696.tif 000022